(57)【要約】【課題】１２時制のアナログ式の時計を用いる場合であっても、ユーザーが日の出時刻および日の入り時刻を容易に把握できるようにする。【解決手段】電子時計Ｗは、機能針１４と、機能針１４が指示する１２時制の目盛り１７ａとを有し、機能針１４が日の出時刻を指示する第１状態と、機能針１４が日の入り時刻を指示する第２状態とを所定の条件に基づいて切り替える。処理部が第１状態と第２状態とを切り替えるため、ユーザーが第１状態と第２状態とを切り替えずに、１２時制の目盛で時刻を指示することができる。【選択図】図１
2019174148.tif 000002
【特許請求の範囲】
【請求項１】
指示体と、
前記指示体が指示する１２時制の第１目盛りと、
前記指示体が日の出時刻を指示する第１状態と、前記指示体が日の入り時刻を指示する第２状態とを所定の条件に基づいて切り替える処理部と、
を備えることを特徴とする電子時計。
【請求項２】
前記処理部は、
前記日の出時刻より後であり、かつ前記日の入り時刻より前の第１時刻に現在時刻が達した場合、前記第１状態から前記第２状態に切り替え、
前記日の入り時刻より後であり、かつ前記日の出時刻より前の第２時刻に現在時刻が達した場合、前記第２状態から前記第１状態に切り替える、
ことを特徴とする請求項１に記載の電子時計。
【請求項３】
前記第１時刻は、前記日の出時刻から第１所定時間後の時刻であり、
前記第２時刻は、前記日の入り時刻から第２所定時間後の時刻である、
ことを特徴とする請求項２に記載の電子時計。
【請求項４】
前記第１時刻は、午前１２時であり、
前記第２時刻は、午後１２時である、
ことを特徴とする請求項２に記載の電子時計。
【請求項５】
現在位置を算出する位置情報算出部を備え、
前記処理部は、現在位置のタイムゾーン、現在の年月日、および、前記位置情報算出部が算出した現在位置に基づいて、前記日の出時刻および前記日の入り時刻を算出する、
ことを特徴とする請求項１から４のいずれか１項に記載の電子時計。
【請求項６】
指示体と、
前記指示体が指示する１２時制の第１目盛りと、
前記指示体が日の出時刻を指示する第１状態と、日の入り時刻を指示する第２状態とを切り替える操作部と、
を備えることを特徴とする電子時計。
【請求項７】
時針および分針を備え、
前記指示体は、
前記時針および前記分針とは異なる指針である、
ことを特徴とする請求項１から６のいずれか１項に記載の電子時計。
【請求項８】
前記分針の指針軸の軸方向からの平面視において、前記分針の指針軸と、前記指示体の指針軸とが異なる
ことを特徴とする請求項７に記載の電子時計。
【請求項９】
前記指示体は、
昼間を示す第１領域と、夜間を示す第２領域とが環状に配置された環状の部材を含み、
前記第１領域と前記第２領域との間の位置によって、前記日の出時刻または前記日の入り時刻を指示する、
ことを特徴とする請求項１から６のいずれか１項に記載の電子時計。
【請求項１０】
午前または午後であることを指示する第１指針を備え、
前記第１指針は、前記第１状態の場合前記午前を指示し、前記第２状態の場合前記午後を指示する、
ことを特徴とする請求項１から９のいずれか１項に記載の電子時計。
【請求項１１】
前記指示体が前記第１目盛りの第１位置を指示することによって、白夜であることを示し、
前記指示体が前記第１目盛りの第２位置を指示することによって、極夜であることを示す、
ことを特徴とする請求項１から１０のいずれか１項に記載の電子時計。
【請求項１２】
前記第１状態および前記第２状態のうち前記指示体の現在の状態を指示する第２指針を、
備えることを特徴とする請求項１から１１のいずれか１項に記載の電子時計。
【発明の詳細な説明】
【技術分野】
【０００１】
本発明は、電子時計に関する。
【背景技術】
【０００２】
特許文献１には、２４時制のアナログ式の時計において、日の出時刻および日の入り時刻を表示することが開示されている。
【先行技術文献】
【特許文献】
【０００３】
【特許文献１】特開平３−２５９２号公報
【発明の概要】
【発明が解決しようとする課題】
【０００４】
しかしながら、２４時制のアナログ式の時計の場合、同じ位置の目盛でも時針が指示する場合と分針が指示する場合とで数値が異なるため、ユーザーは時針が指示する目盛の数値と分針が指示する目盛の数値とを区別して読む必要があり、日の出時刻および日の入り時刻の把握が難しかった。
【課題を解決するための手段】
【０００５】
本発明の好適な態様（第１態様）にかかる電子時計は、指示体と、前記指示体が指示する１２時制の第１目盛りと、前記指示体が日の出時刻を指示する第１状態と、前記指示体が日の入り時刻を指示する第２状態とを所定の条件に基づいて切り替える処理部と、を備える。
【０００６】
以上の態様では、処理部が第１状態と第２状態とを切り替えるため、ユーザーが第１状態と第２状態とを切り替えずに、１２時制の目盛で時刻を指示することができる。従って、以上の態様によれば、ユーザーは、日の出時刻および日の入り時刻を容易に把握することが可能になる。
【０００７】
第１態様の好適例（第２態様）において、前記処理部は、前記日の出時刻より後であり、かつ前記日の入り時刻より前の第１時刻に現在時刻が達した場合、前記第１状態から前記第２状態に切り替え、前記日の入り時刻より後であり、かつ前記日の出時刻より前の第２時刻に現在時刻が達した場合、前記第２状態から前記第１状態に切り替える。
【０００８】
以上の態様では、第１時刻は、日の出時刻より後であり、かつ日の入り時刻より前であるから、昼間に属する時刻である。従って、昼間に属する第１時刻以降には、電子時計が第２状態に切り替えた結果、指示体が日の入り時刻を指示する。従って、以上の態様によれば、ユーザーは、第１状態から第２状態に切り替えることなく、現在時刻から日の入り時刻までの時間を容易に把握することが可能になる。第２時刻は、日の入り時刻より後、または、日の出時刻より前であるから、夜間に属する時刻である。従って、夜間に属する第２時刻以降には、電子時計が第２状態に切り替えた結果、指示体が日の出時刻を指示する。従って、以上の形態によれば、ユーザーは、第２状態から第１状態に切り替えることなく、現在時刻から日の出時刻までの時間を容易に把握することができる。
【０００９】
第２態様の好適例（第３態様）において、前記第１時刻は、前記日の出時刻から第１所定時間後の時刻であり、前記第２時刻は、前記日の入り時刻から第２所定時間後の時刻である。
【００１０】
以上の態様によれば、ユーザーは、日の出時刻から第１所定時間後に第２状態に切り替わり、日の入り時刻の第２所定時間後に第１状態に切り替わることを把握しておくのみで、指示体が現在日の出時刻を指示しているのか日の入り時刻を指示しているのか把握することが可能になる。
【００１１】
第２態様の好適例（第４態様）において、前記第１時刻は、午前１２時であり、前記第２時刻は、午後１２時である。
【００１２】
以上の態様では、第１時刻が午前１２時であり、第２時刻が午後１２時であるから、午前では第１状態となり、午後では第２状態となる。従って、以上の態様によれば、ユーザーは、午前では第１状態となり、午後では第２状態となることを把握しておくのみで、指示体が日の出時刻または日の入り時刻のいずれを指示しているのか、容易に把握することが可能になる。
【００１３】
第１態様から第４態様の好適例（第５態様）において、現在位置を算出する位置情報算出部を備え、前記処理部は、現在位置のタイムゾーン、現在の年月日、および、前記位置情報算出部が算出した現在位置に基づいて、前記日の出時刻および前記日の入り時刻を算出する。
【００１４】
以上の態様では、位置情報算出部が算出した現在位置に基づいて日の出時刻および日の入り時刻を算出するため、ユーザーが位置情報を入力しなくても日の出時刻および日の入り時刻を算出することが可能になる。
【００１５】
本発明の好適な態様（第６態様）にかかる電子時計は、指示体と、前記指示体が指示する１２時制の第１目盛りと、前記指示体が日の出時刻を指示する第１状態と、日の入り時刻を指示する第２状態とを切り替える操作部と、を備える。
【００１６】
以上の態様では、ユーザーは操作部で第１状態と第２状態とを切り替えることができる。また、１２時制の電子時計であるため、ユーザーは、日の出時刻および日の入り時刻を容易に把握することが可能になる。
【００１７】
第１態様から第５態様の好適例（第７態様）において、時針および分針を備え、前記指示体は、前記時針および前記分針とは異なる指針である。
【００１８】
以上の態様では、指示体は、１２時制の第１目盛りを指示する指針である。従って、以上の態様によれば、ユーザーは、なじみ深い１２時制において、指示体と時針との位置関係により、現在時刻から日の出時刻または日の入り時刻までの時間を容易に把握することが可能である。
【００１９】
第７態様の好適例（第８態様）において、前記分針の指針軸の軸方向からの平面視において、前記分針の指針軸と、前記指示体の指針軸とが異なる。
【００２０】
以上の態様では、分針の指針軸の軸方向からの平面視において、分針の指針軸と、指示体の指針軸とが異なる。以上の態様によれば、現在時刻を指示する箇所と、日の出時刻および日の入り時刻を指示する箇所とが互いに異なるため、ユーザーが、指示体が現在時刻を指示するという誤った把握をすることを抑制することが可能になる。
【００２１】
第１態様から第６態様の好適例（第９態様）において、前記指示体は、昼間を示す第１領域と、夜間を示す第２領域とが環状に配置された環状の部材を含み、前記第１領域と前記第２領域との間の位置によって、前記日の出時刻または前記日の入り時刻を指示する。
【００２２】
以上の態様では、指示体には、昼間を示す第１色の第１領域と、夜間を示す第２色の第２領域とが環状に配置されている。従って、ユーザーは、第１領域と第２領域との間が、昼間と夜間との間、すなわち、日の出または日の入りを示すことを直感的に把握できる。以上の態様によれば、日の出または日の入りを示すことを直感的に把握可能な第１領域と第２領域との間の位置によって日の出時刻または日の入り時刻を指示することにより、直感的に日の出時刻および日の入り時刻を把握することが可能になる。
【００２３】
第１態様から第９態様の好適例（第１０態様）によれば、午前または午後であることを指示する第１指針を備え、前記第１指針は、前記第１状態の場合前記午前を指示し、前記第２状態の場合前記午後を指示する。
【００２４】
通常、日の出時刻は午前であり、日の入り時刻は午後である。従って、以上の態様によれば、第１指針によって午前または午後を示すことにより、ユーザーは、指示体が日の出時刻または日の入り時刻のいずれを指示しているのか、容易に把握することが可能になる。
【００２５】
第１態様から第１０態様の好適例（第１１態様）において、前記指示体が前記第１目盛りの第１位置を指示することによって、白夜であることを示し、前記指示体が前記第１目盛りの第２位置を指示することによって、極夜であることを示す。
【００２６】
以上の態様によれば、ユーザーは、指示体が第１位置を指示したとき白夜であり、指示体が第２位置を指示したとき極夜であることを把握しておくのみで、白夜または極夜であることを容易に把握することが可能になる。
【００２７】
第１態様から第１１態様の好適例（第１２態様）において、前記第１状態および前記第２状態のうち前記指示体の現在の状態を指示する第２指針を備える。
【００２８】
以上の態様によれば、ユーザーは、第２指針を閲覧することにより、指示体が日の出時刻を指示しているのか日の入り時刻を指示しているのかを容易に判別することが可能になる。
【図面の簡単な説明】
【００２９】
【図１】第１実施形態における電子時計Ｗを示す平面図。
【図２】第１実施形態における電子時計Ｗの構成図。
【図３】制御部６の構成図。
【図４】表示状態を切り替える第２の方法の詳細を示す図（その１）。
【図５】表示状態を切り替える第２の方法の詳細を示す図（その２）。
【図６】日の出日の入り表示モードのフローチャートを示す図。
【図７】第２実施形態における電子時計Ｗを示す平面図。
【図８】第２実施形態における電子時計Ｗの構成図。
【図９】表示状態を切り替える第２の方法の詳細を示す図（その１）。
【図１０】表示状態を切り替える第２の方法の詳細を示す図（その２）。
【図１１】第３実施形態における電子時計Ｗを示す平面図。
【図１２】第３実施形態における電子時計Ｗの構成図。
【図１３】第２変形例にかかる電子時計Ｗを示す平面図。
【発明を実施するための形態】
【００３０】
以下、本発明を実施するための形態について図面を参照して説明する。ただし、各図において、各部の寸法および縮尺は、実際のものと適宜に異ならせてある。また、以下に述べる実施形態は、本発明の好適な具体例であるから、技術的に好ましい種々の限定が付されているが、本発明の範囲は、以下の説明において特に本発明を限定する旨の記載がない限り、これらの形態に限られるものではない。
【００３１】
Ａ．第１実施形態
以下、第１実施形態にかかる電子時計Ｗを説明する。
【００３２】
Ａ．１．第１実施形態における電子時計Ｗの概要
図１に、第１実施形態における電子時計Ｗを示す平面図を示す。電子時計Ｗは、操作ボタンＡと、操作ボタンＢと、操作ボタンＣと、竜頭Ｄと、ベゼルＥと、第２バンド部Ｆと、第１バンド部Ｇと、表示部１０とを有する。図１に示すように、電子時計Ｗは、時間を計測するアナログ時計である。
【００３３】
図１において、表示部１０の表示面における裏面から表面へと向かう方向をｚ軸正方向とする。そして、ｚ軸に直交する２軸をｘｙ軸とし、表示部１０の中心から竜頭Ｄへの方向をｘ軸正方向とする。または、表示部１０の表示面の法線方向をｚ軸とし、表示面の中心から第２バンド部Ｆまたは第１バンド部Ｇへの方向をｙ軸、ｚ軸およびｙ軸と直交する軸をｘ軸とすることもできる。第２バンド部Ｆから第１バンド部Ｇに向かう方向、すなわち、ｙ軸正方向を、「１２時方向」と定義する。従って、例えば、ｙ軸負方向が「６時方向」となり、ｘ軸正方向が「３時方向」となる。
【００３４】
操作ボタンＡ、操作ボタンＢ、操作ボタンＣ、および、竜頭Ｄは、電子時計Ｗの側面に設けられる。操作ボタンＡ、操作ボタンＢ、および操作ボタンＣは、ユーザーの押下操作を検出する。竜頭Ｄは、回転および引き出しが可能な部材である。第２バンド部Ｆおよび第１バンド部Ｇは、電子時計Ｗをユーザーの手首に装着するための部材である。ベゼルＥは、電子時計Ｗの保護および補強をする部材である。
【００３５】
表示部１０は、時針１１と、分針１２と、秒針１３と、機能針１４と、ダイヤルリング１７と、６時側に設けられた６時側情報表示部２０とを有する。ダイヤルリング１７には、１２時制の目盛り１７ａが環状に形成される。
【００３６】
機能針１４は、第１実施形態における「指示体」の一例である。目盛り１７ａは、第１実施形態における「第１目盛り」の一例である。操作ボタンＡは、第１実施形態における「操作部」の一例である。
【００３７】
６時側情報表示部２０は、文字板２１と、モード指針２２とを有する。文字板２１には、動作モードを表す文字が記載されている。電子時計Ｗは、動作モードとして、現在時刻を示す時刻表示モードと、タイムゾーンの表示および設定が可能なタイムゾーン設定モードと、日の出時刻と日の入り時刻とを示す日の出日の入り表示モードとを有する。文字板２１には、時刻表示モードを表す文字列２１ａ「ＴＩＭＥ」と、タイムゾーン設定モードを表す文字列２１ｂ「ＴＺ」と、日の出日の入り表示モードを表す文字列２１ｃ「ＳＲ−ＳＳ」とが設けられている。
【００３８】
６時側情報表示部２０は、モード指針２２が文字列２１ａを指示することにより動作モードが時刻表示モードであることを表示する。また、６時側情報表示部２０は、モード指針２２が文字列２１ｂを指示することにより動作モードがタイムゾーン設定モードであることを表示する。また、６時側情報表示部２０は、モード指針２２が文字列２１ｃを指示することにより動作モードが日の出日の入り表示モードであることを表示する。
【００３９】
Ａ．１．１．時刻表示モードの概要
時刻表示モードでは、電子時計Ｗは、現在時刻を表示することができる。ユーザーにより操作ボタンＡが何度か押下されてモード指針２２が文字列２１ａを指示する場合に、電子時計Ｗは、動作モードを時刻表示モードに設定する。動作モードを時刻表示モードに設定している場合に、表示部１０は、目盛り１７ａを基準にして、時針１１、分針１２、および秒針１３を用いて、現在時刻の時、分、および秒を表示する。
【００４０】
時刻表示モードにおいて、操作ボタンＢを所定時間、例えば３秒以上押下されたことを検出すると、ＧＰＳレシーバー２（図２参照）が起動し、現在の年月日、および現在時刻を取得する。取得した現在の年月日、および現在時刻によって、電子時計Ｗの内部時刻が修正されるとともに、表示部１０は、取得した現在の年月日、および現在時刻を表示する。このように、ＧＰＳレシーバー２を用いて時刻を修正することにより、時刻だけでなく、年月日の情報を得ることができるので、電子時計Ｗが現在の年月日を得ることが可能である。
【００４１】
Ａ．１．２．タイムゾーン設定モードの概要
タイムゾーン設定モードでは、電子時計Ｗは、タイムゾーンの表示および設定が可能である。ユーザーにより操作ボタンＡが何度か押下されてモード指針２２が文字列２１ｂを指示する場合に、電子時計Ｗは、動作モードをタイムゾーン設定モードに設定する。動作モードをタイムゾーン設定モードに設定している場合に、表示部１０は、目盛り１７ａを基準にして、時針１１、分針１２、および秒針１３を用いて、現在時刻の時、分、および秒を表示する。さらに、表示部１０は、ベゼルＥに設けられた目盛りＥａを基準にして、機能針１４を用いて、現在のタイムゾーンを表示する。目盛りＥａには、複数のタイムゾーンが示されている。目盛りＥａには、例えば、協定世界時（ＵＴＣ）から時差がないタイムゾーンを示す数字「０」、協定世界時から１時間早い時差を有するタイムゾーンを示す数字「＋１」、および、協定世界時から１時間遅い時差を有するタイムゾーンを示す数字「−１」等が記載されている。
【００４２】
タイムゾーン設定モードにおいて、竜頭Ｄの一段引き出し操作を行うと、電子時計Ｗは、タイムゾーンの手動設定を行うことが可能である。竜頭Ｄの一段引き出し操作を行った後に、竜頭Ｄの回転操作を受け付けると、竜頭Ｄの回転操作に応じて機能針１４が回転する。竜頭Ｄの押し込み操作を受け付けると、電子時計Ｗは、機能針１４の現在の向きに応じたタイムゾーンの設定を記憶する。
【００４３】
タイムゾーン設定モードにおいて、操作ボタンＢを所定時間、例えば３秒以上押下されたことを検出すると、ＧＰＳレシーバー２が起動し、現在位置の緯度および経度を取得する。電子時計Ｗは、記憶部４（図２参照）に記憶された、緯度および経度とタイムゾーンとの関係を示すタイムゾーン情報を参照して、取得した現在位置の緯度および経度に対応するタイムゾーンを判別し、判別したタイムゾーンの設定を記憶する。
【００４４】
Ａ．１．３．日の出日の入り時刻表示モードの概要
日の出日の入り時刻表示モードでは、電子時計Ｗは、日の出時刻または日の入り時刻を表示することができる。ユーザーにより操作ボタンＡが何度か押下されてモード指針２２が文字列２１ｃを指示する場合に、電子時計Ｗは、動作モードを日の出日の入り表示モードに設定する。動作モードを日の出日の入り表示モードに設定している場合に、表示部１０は、目盛り１７ａを基準にして、時針１１、分針１２、および秒針１３を用いて、現在時刻の時、分、および秒を表示する。さらに、表示部１０は、目盛り１７ａを基準にして、機能針１４を用いて、日の出時刻または日の入り時刻を表示する。機能針１４は、時針１１と同じ時刻の読み方となる。図１の例では、現在時刻が３時４０分であるのに対し、日の出時刻または日の入り時刻が、４時４８分であることを示す。
【００４５】
図２に、電子時計Ｗの構成図を示す。図２において、図１に示した構成と同一構成のものには同一符号を付してある。
【００４６】
電子時計Ｗは、時針１１および分針１２に関する構成として、時針１１、分針１２、輪列機構２０１、ステッピングモーター３０１、および、モータードライバー４０１を含む。モータードライバー４０１は、輪列機構２０１を介して時針１１と分針１２とを駆動するためにステッピングモーター３０１を駆動する。
【００４７】
電子時計Ｗは、秒針１３に関する構成として、秒針１３、輪列機構２０２、ステッピングモーター３０２、および、モータードライバー４０２を含む。モータードライバー４０２は、輪列機構２０２を介して秒針１３を駆動するためにステッピングモーター３０２を駆動する。
【００４８】
電子時計Ｗは、機能針１４に関する構成として、機能針１４、輪列機構２０３、ステッピングモーター３０３、および、モータードライバー４０３を含む。モータードライバー４０３は、輪列機構２０３を介して機能針１４を駆動するためにステッピングモーター３０３を駆動する。
【００４９】
電子時計Ｗは、６時側情報表示部２０に関する構成として、モード指針２２、輪列機構２０４、ステッピングモーター３０４、および、モータードライバー４０４を含む。モータードライバー４０４は、輪列機構２０４を介してモード指針２２を駆動するためにステッピングモーター３０４を駆動する。
【００５０】
電子時計Ｗは、さらに、発振回路１と、ＧＰＳ（Global Positioning System）レシーバー２と、記憶部４と、制御部６と、操作ボタンＡと、操作ボタンＢと、操作ボタンＣと、竜頭Ｄとを含む。
【００５１】
発振回路１は、時刻を計時するために用いられるクロック信号を生成する。クロック信号の周波数は、例えば、３２．７６８ｋＨｚである。クロック信号の周波数が分周されて、周波数が１Ｈｚとなったクロック信号が、制御部６に入力される。ＧＰＳレシーバー２は、位置情報衛星の一つであるＧＰＳ衛星からの衛星信号を受信する。
【００５２】
記憶部４は、読み書き可能な不揮発性の記録媒体である。記憶部４は、例えば、フラッシュメモリーである。記憶部４は、フラッシュメモリーに限らず適宜変更可能である。記憶部４は、例えば、制御部６が実行するプログラムを記憶する。
【００５３】
制御部６は、例えば、ＣＰＵ（Central Processing Unit）等のコンピューターである。制御部６は、電子時計Ｗの全体の制御を司る。制御部６の構成について、図３を用いて説明する。
【００５４】
Ａ．２．第１実施形態における制御部６の構成
図３に、制御部６の構成図を示す。制御部６は、記憶部４に記憶されたプログラムを読み取り実行することにより、位置情報算出部６１と、処理部６２とを実現する。
【００５５】
位置情報算出部６１は、現在位置を算出する。具体的には、位置情報算出部６１は、ＧＰＳレシーバー２から衛星信号を取得し、取得した衛星信号に基づいて現在位置を算出する。
【００５６】
処理部６２は、現在位置のタイムゾーン、現在の年月日、および、位置情報算出部６１が算出した現在位置に基づいて、日の出時刻および日の入り時刻を算出する。現在位置のタイムゾーンの取得方法について、例えば、図１のタイムゾーン設定モードの概要で説明した、ユーザーによる竜頭Ｄの回転操作による第１の取得方法と、ＧＰＳレシーバー２を用いる第２の取得方法とがある。現在の年月日の取得方法について、例えば、以下に示す２つの方法がある。現在の年月日の第１の取得方法において、処理部６２は、ユーザーが設定した現在位置の年月日を取得する。現在の年月日の第２の取得方法について、処理部６２は、ＧＰＳレシーバー２が取得した衛星信号から、現在位置の算出と併せて現在位置の現在の年月日を算出する。
以下の記載では、タイムゾーンの第２の取得方法、および、現在の年月日の第２の取得方法が採用されているとして説明する。
【００５７】
日の出時刻および日の入り時刻を算出する方法として、例えば、以下に示す２つの方法がある。第１の方法において、処理部６２は、公知の数式に、取得した現在位置のタイムゾーン、現在位置の座標として緯度および経度、ならびに現在の年月日を代入することにより、日の出時刻および日の入り時刻を算出する。
第２の方法において、処理部６２は、取得したタイムゾーンにおける、緯度および経度、ならびに年月日の組み合わせに応じた日の出時刻日の入り時刻の時刻表を参照して、日の出時刻および日の入り時刻を算出する。例えば、処理部６２は、ユーザーによって現在位置のタイムゾーンが変更した場合、または、ＧＰＳレシーバー２が取得した衛星信号から算出した現在位置のタイムゾーンが変更した場合、変更後のタイムゾーンにおける日の出時刻日の入り時刻の時刻表を、インターネットなどのネットワークを介して取得する。日の出時刻日の入り時刻の時刻表は、例えば、下記のような３次元のデータ構造を有する。
【００５８】
日の出時刻日の入り時刻の時刻表［緯度］［経度］［年月日］＝（日の出時刻、日の入り時刻）
【００５９】
処理部６２は、所定の条件に基づいて機能針１４が日の出時刻を指示する第１状態と、機能針１４が日の入り時刻を指示する第２状態とを切り替える。以下、第１状態および第２状態を総称して、「表示状態」と称する。
【００６０】
例えば、処理部６２は、所定の条件として、日の出時刻より後であり、かつ日の入り時刻より前の第１時刻に現在時刻が達した場合、第１状態から第２状態に切り替える。さらに、処理部６２は、所定の条件として、日の入り時刻より後であり、かつ日の出時刻より前の第２時刻に現在時刻が達した場合、第２状態から第１状態に切り替える。第１時刻および第２時刻は、記憶部４に記憶される。
【００６１】
第１時刻および第２時刻は、下記に示す２つの態様がある。第１の態様における第１時刻および第２時刻について、第１時刻は、日の出時刻から第１所定時間後の時刻であり、第２時刻は、日の入り時刻から第２所定時間後の時刻である。所定時間は、例えば、２つの態様がある。第１の態様における所定時間は、ユーザーまたは電子時計Ｗの設計者によって設定された時間であり、例えば、２時間である。第２の態様における所定時間は、薄暮の時間の長さである。薄暮は、日の入り後の、空が薄明るいときである。なお、日の出時刻から所定時間と日の入り時刻からの所定時間とは、互いに異なる第１所定時間と第２所定時間とでもよい。
【００６２】
第２の態様における第１時刻および第２時刻について、第１時刻は、午前１２時であり、第２時刻は、午後１２時である。
【００６３】
表示状態を切り替える方法には、下記に示す２つの方法がある。第１の方法において、処理部６２は、現在時刻が第１時刻または第２時刻に達した場合、機能針１４が可能な最大の角速度で機能針１４を回転させて、機能針１４の向きが日の出時刻の向きまたは日の入り時刻の向きに達したら機能針１４の回転を停止させる。第２の方法において、処理部６２は、現在時刻が第１時刻または第２時刻に達した場合、時針１１の角速度の大きさと同一の大きさの角速度で機能針１４を回転させ、日の出時刻または日の入り時刻の向きに到達したら機能針１４の回転を停止させる。時針１１の角速度の大きさと同一の大きさの角速度とは、時針１１の角速度と同一の角速度と、時針１１の角速度の大きさが同一であり、逆方向への回転、すなわち反時計回りの方向に回転する角速度とを含む。以下、時針１１の角速度と同一の角速度を、「第１角速度」と称し、時針１１の角速度の大きさが同一であり、反時計回りの方向に回転する角速度を、「第２角速度」と称する。第２の方法において、図４および図５を用いてより詳細に説明する。
【００６４】
図４および図５に、表示状態を切り替える第２の方法の詳細を示す。図４では、現在時刻が午前の場合を示し、図５では、現在時刻が午後の場合を示す。図４および図５に示す電子時計Ｗは、図面の煩雑化を避けるために、時針１１および機能針１４のみ表示し、分針１２、秒針１３、およびモード指針２２等の描画を省略する。
【００６５】
図４および図５において、日の出時刻は午前５時であり、日の入り時刻を午後７時とする。さらに、処理部６２は、第１態様における第１時刻および第２時刻に従って、表示状態を切り替えるとし、所定時間を２時間とする。従って、第１時刻は、午前７時となり、第２時刻は午後９時となる。
【００６６】
現在時刻が午前４時の場合、現在時刻が第１時刻に達していないため、表示状態は第１状態を維持する。従って、機能針１４は５時位置を指示する。
【００６７】
現在時刻が午前７時の場合、現在時刻が第１時刻に達したため、表示状態は第２状態に切り替わる。機能針１４は、第１角速度で回転し始める。
【００６８】
現在時刻が午前８時の場合、機能針１４は、第１角速度で回転しており、機能針１４が回転し始めてから１時間が経過したため、機能針１４は６時位置を指示する。日の入り時刻が午後７時であり、機能針１４は６時位置を指示しているため、機能針１４の向きは、日の入り時刻の向きに達していない。従って、機能針１４は、回転を継続する。
【００６９】
現在時刻が午前９時の場合、機能針１４は、第１角速度で回転しており、機能針１４が回転し始めてから２時間が経過したため、機能針１４は７時位置を指示する。日の入り時刻が午後７時であり、機能針１４は７時位置を指示しているため、機能針１４の向きは、日の入り時刻の向きに達している。従って、機能針１４は、回転を停止する。
【００７０】
現在時刻が午後６時の場合、現在時刻が第２時刻に達していないため、表示状態は第２状態を維持する。従って、機能針１４は７時位置を指示する。
【００７１】
現在時刻が午後９時の場合、現在時刻が第２時刻に達したため、表示状態は第１状態に切り替わる。機能針１４は、第２角速度で回転し始める。
【００７２】
現在時刻が午後１０時の場合、機能針１４が、時針１１の第２角速度で回転しており、機能針１４が回転し始めてから１時間が経過したため、機能針１４は６時位置を指示する。日の出時刻が午前５時であり、機能針１４は６時位置を指示しているため、機能針１４の向きは、日の出時刻の向きに達していない。従って、機能針１４は、回転を継続する。
【００７３】
現在時刻が午後１１時の場合、機能針１４は、第２角速度で回転しており、機能針１４が回転し始めてから２時間が経過したため、機能針１４は５時位置を指示する。日の出時刻が午前５時であり、機能針１４は５時位置を指示しているため、機能針１４の向きは、日の出時刻の向きに達している。従って、機能針１４は、回転を停止する。
【００７４】
説明を図３に戻す。
処理部６２は、現在位置のタイムゾーン、ならびに、現在位置および現在の年月日に基づいて、日の出時刻および日の入り時刻を算出しようとしたが、現在位置が北極圏または南極圏であると、日の出および日の入りがなく、日の出時刻および日の入り時刻を算出できない場合がある。この場合、処理部６２は、現在位置のタイムゾーン、ならびに、現在位置および現在の年月日に基づいて、白夜または極夜のいずれかであることを特定する。白夜と特定した場合、処理部６２は、機能針１４が１２時位置を指示するように機能針１４を制御する。極夜と特定した場合、処理部６２は、機能針１４が６時位置を指示するように機能針１４を制御する。１２時位置は、「第１位置」の一例である。６時位置は、「第２位置」の一例である。
【００７５】
Ａ．３．動作モードのフローチャート
日の出日の入り表示モードについて、具体的なフローチャートを用いて説明する。
【００７６】
Ａ．３．１．日の出日の入り表示モードのフローチャート
図６に、日の出日の入り表示モードのフローチャートを示す。図６で示すフローチャートでは、表示状態を切り替える方法として、前述した第１の方法、すなわち、現在時刻が第１時刻または第２時刻に達した場合、機能針１４が可能な最大の角速度で機能針１４を回転させる方法を採用する。
【００７７】
位置情報算出部６１は、ＧＰＳレシーバー２から取得した衛星信号に基づいて、現在位置のタイムゾーン、現在位置、および現在の年月日を算出する（ステップＳ１）。処理部６２は、現在位置のタイムゾーン、現在位置、および現在の年月日に基づいて、日の出時刻および日の入り時刻を算出する（ステップＳ２）。
【００７８】
処理部６２は、日の出時刻および日の入り時刻が算出できたか否かを判断する（ステップＳ３）。日の出時刻および日の入り時刻が算出できなかった場合（ステップＳ３：Ｎｏ）、処理部６２は、白夜か否かを判断する（ステップＳ４）。白夜であると特定した場合（ステップＳ４：Ｙｅｓ）、処理部６２は、機能針１４が１２時位置を指示するように機能針１４を制御する（ステップＳ５）。一方、白夜でないと判断した場合、すなわち極夜であると判断した場合（ステップＳ４：Ｎｏ）、処理部６２は、機能針１４が６時位置を指示するように機能針１４を制御する（ステップＳ６）。
【００７９】
一方、日の出時刻および日の入り時刻が算出できた場合（ステップＳ３：Ｙｅｓ）、処理部６２は、現在時刻が第１時刻に達したか否かを判断する（ステップＳ７）。現在時刻が第１時刻に達した場合（ステップＳ７：Ｙｅｓ）、処理部６２は、表示状態を第１状態から第２状態に切り替える（ステップＳ８）。一方、現在時刻が第１時刻に達していない場合（ステップＳ７：Ｎｏ）、処理部６２は、現在時刻が第２時刻に達したか否かを判断する（ステップＳ９）。現在時刻が第２時刻に達した場合（ステップＳ９：Ｙｅｓ）、処理部６２は、表示状態を第２状態から第１状態に切り替える（ステップＳ１０）。
【００８０】
ステップＳ８の処理の終了後、ステップＳ１０の処理の終了後、または、現在時刻が第２時刻に達していない場合（ステップＳ９：Ｎｏ）、処理部６２は、現在の表示状態に従って、機能針１４を制御する（ステップＳ１１）。具体的には、処理部６２は、現在の表示状態が第１状態であれば機能針１４が日の出時刻を指示し、現在の表示状態が第２状態であれば機能針１４が日の入り時刻を指示するように、機能針１４を制御する。
【００８１】
ステップＳ５の処理終了後、ステップＳ６の処理終了後、または、ステップＳ１１の処理終了後、処理部６２は、日の出日の入り表示モードが終了したか否かを判断する（ステップＳ１２）。日の出日の入り表示モードが終了する場合とは、例えば、ユーザーにより操作ボタンＡが押下されて、日の出日の入り表示モード以外の動作モードに切り替わった場合、または、電子時計Ｗをシャットダウンする場合である。
【００８２】
日の出日の入り表示モードが終了していない場合（ステップＳ１２：Ｎｏ）、処理部６２は、処理をステップＳ１に戻す。ステップＳ１を再び実行する場合、発振回路１から得られるクロック信号から算出可能な現在の年月日が、前回のステップＳ１の処理結果の年月日と同一の場合、位置情報算出部６１は、ステップＳ１の処理を行わず、前回のステップＳ１の処理結果を、今回の処理結果として用いることが可能である。
【００８３】
一方、日の出日の入り表示モードが終了した場合（ステップＳ１２：Ｙｅｓ）、処理部６２は、一連の処理を終了する。
【００８４】
Ａ．４．第１実施形態の効果
以上示したように、電子時計Ｗは、機能針１４と、目盛り１７ａと、処理部６２とを有する。処理部６２が所定の条件に基づいて、第１状態と第２状態とを切り替えるため、ユーザーが切り替える必要がない。以上により、ユーザーは、日の出時刻および日の入り時刻を容易に把握することが可能になる。また、１２時制のアナログ時計は２４時制のアナログ時計と比較してユーザーにとってなじみ深いため、電子時計Ｗは、日の出時刻および日の入り時刻を直感的に把握することが可能になる。
【００８５】
また、処理部６２は、日の出時刻より後であり、かつ日の入り時刻より前の第１時刻に現在時刻が達した場合、第１状態から第２状態に切り替える。第１時刻は、日の出時刻より後であり、かつ日の入り時刻より前であるから、昼間に属する時刻である。従って、昼間に属する第１時刻以降には、表示状態を第２状態に切り替えた結果、機能針１４が日の入り時刻を指示する。従って、第１実施形態によれば、ユーザーは、第１状態から第２状態に切り替えることなく、現在時刻から日の入りまでの時刻までの時間を容易に把握することが可能になる。
さらに、処理部６２は、日の入り時刻より後または日の出時刻より前の第２時刻に現在時刻が達した場合、第２状態から第１状態に切り替える。第２時刻は、日の入り時刻より後、または、日の出時刻より前であるから、夜間に属する時刻である。従って、夜間に属する第２時刻以降には、表示状態を第２状態に切り替えた結果、機能針１４が日の出時刻を指示する。従って、第１実施形態によれば、ユーザーは、第２状態から第１状態に切り替えることなく、現在時刻から日の出までの時刻までの時間を容易に把握することができる。
【００８６】
また、第１の態様における第１時刻および第２時刻について、第１時刻は、日の出時刻から所定時間後の時刻であり、第２時刻は、日の入り時刻から前述の所定時間後の時刻である。第１実施形態によれば、ユーザーは、日の出時刻および日の入り時刻の所定時間後に表示状態を切り替わることを把握しておくのみで、機能針１４が現在日の出時刻を指示しているのか日の入り時刻を指示しているのか把握することが可能になる。
【００８７】
また、第２の態様における第１時刻および第２時刻について、第１時刻は、午前１２時であり、第２時刻は、午後１２時である。従って、午前では第１状態となり、午後では第２状態となる。以上により、第１実施形態によれば、ユーザーは、午前では第１状態となり、午後では第２状態となることを把握しておくのみで、機能針１４が日の出時刻または日の入り時刻のいずれを指示しているのか、容易に把握することが可能になる。
【００８８】
また、図１に示したように、電子時計Ｗは、時針１１および分針１２を有し、機能針１４は、時針１１および分針１２とは異なる指針である。本実施形態によれば、ユーザーにとってなじみ深い１２時制において、機能針１４と時針１１との位置関係により、日の出時刻または日の入り時刻までの時間を容易に把握することが可能である。１２時制による時間の把握の容易さについて、例えば、機能針１４と時針１１とのなす角度が３０度であれば、日の出時刻または日の入り時刻までの時間が１時間である、というように、ユーザーは容易に把握することが可能である。
【００８９】
また、電子時計Ｗは、機能針１４が目盛り１７ａの１２時位置を指示することによって、白夜であることを示し、機能針１４が目盛り１７ａの６時位置を指示することによって、極夜であることを示す。これにより、ユーザーは、機能針１４が１２時位置を指示したとき白夜であり、機能針１４が６時位置を指示したとき極夜であることを把握しておくのみで、白夜または極夜であることを容易に把握することが可能になる。
【００９０】
また、位置情報算出部６１が、現在位置を算出し、処理部６２が、現在位置のタイムゾーン、現在の年月日、および、位置情報算出部６１が算出した現在位置に基づいて、日の出時刻および前記日の入り時刻を算出する。
日の出時刻および日の入り時刻は、現在位置の緯度および経度によって変動するが、第１実施形態では、位置情報算出部６１が算出した現在位置に基づいて日の出時刻および日の入り時刻を算出するため、現在位置の緯度および経度の影響が反映されている。従って、本実施形態によれば、ユーザーが位置情報を入力しなくても、日の出時刻および日の入り時刻を算出することが可能になる。
【００９１】
Ｂ．第２実施形態
第２実施形態における電子時計Ｗでは、円盤状指示体１５（図７参照）が、日の出時刻および日の入り時刻を表示する。円盤状指示体１５は、第２実施形態における「指示体」の一例である。以下、第２実施形態について説明する。なお、以下に例示する各形態および各変形例において作用や機能が第１実施形態と同様である要素については、第１実施形態で使用した符号を流用して各々の詳細な説明を適宜に省略する。
【００９２】
Ｂ．１．第２実施形態における電子時計Ｗの概要
図７に、第２実施形態における電子時計Ｗを示す平面図を示す。以下に示す要素については、説明の省略のため、特に記載がない場合、第２実施形態に関する要素であるとする。電子時計Ｗは、機能針１４の代わりに円盤状指示体１５を含む。電子時計Ｗは、第１実施形態の電子時計Ｗが有した日の出日の入り表示モードの代わりに、日の出時刻を示す日の出表示モードと、日の入り時刻を示す日の入り表示モードとを有する。図７に示した破線は、仮想的な線であり、電子時計Ｗに実際に描画された線ではない。
【００９３】
６時側情報表示部２０は、ＬＣＤ（Liquid Crystal Display：液晶ディスプレイ）２４を有する。ＬＣＤ２４は、現在の動作モードを示す文字列を示す画像と、現在の日にちおよび曜日を示す画像とを表示する。
【００９４】
具体的には、図７に示すＬＣＤ２４は、画像２４ａと、画像２４ｂとを表示する。図７に示す画像２４ａは、動作モードを示す文字列「ＭＯＤＥ」と、現在の動作モードが日の出表示モードであることを表す文字列「ＳＵＮＲＩＳＥ」とを示す。画像２４ｂは、現在の日にちが１１日の水曜日であることを示す。
【００９５】
円盤状指示体１５は、環状の部材１５１を含む。部材１５１には、昼間を示す第１色の第１領域１５１１と、夜間を示す第２色の第２領域１５１２とが環状に配置されている。第１色は、黄色であり、第２色は青色である。円盤状指示体１５は、目盛り１７ａを基準として、第１領域１５１１と第２領域１５１２との間の位置によって、日の出時刻または前記日の入り時刻を指示する。従って、目盛り１７ａは、第２実施形態における「第１目盛り」の一例である。図７では、第１色を薄い網掛けによって示し、第２色を右上から左下への斜線による網掛けによって示す。第１領域１５１１と第２領域１５１２との配置の方法は、以下に示す２つがある。
第１の方法における配置方法において、第１領域１５１１と第２領域１５１２との間に空きがないように配置されることである。第１領域１５１１および第２領域１５１２の境界線は、円盤状指示体１５の直径に沿う。従って、円盤状指示体１５を固定したとすると、時針１１は、第１領域１５１１および第２領域１５１２を６時間かけて通過する。図７に示す部材１５１において、第１の方法における配置方法が採用されている。
第２の態様における配置方法において、第１領域１５１１と第２領域１５１２とが、間を空けて配置することである。この間には、第１色および第２色とは異なる色の第３領域を配置する。第３領域の色は、１色、または、連続的に色が変化するグラデーションカラーである。１色の場合、第３領域の色は、例えば、朝焼けおよび夕焼けを示す橙色である。グラデーションカラーの場合、第３領域の色は、例えば、黄色から青色に連続的に変化する色である。
以下の説明では、図７に示すように、第１の方法が採用されているとして説明を行う。
【００９６】
円盤状指示体１５は、第１領域１５１１と第２領域１５１２との間を２箇所有している。円盤状指示体１５は、時計回りにおいて、第２領域１５１２から第１領域１５１１に変わる第１の間１５ｎｄの位置によって、日の出時刻を指示し、第１領域１５１１から第２領域１５１２に変わる第２の間１５ｄｎの位置によって、日の入り時刻を指示する。第１の間１５ｎｄの位置には、文字列１５ａ「ＳＵＮＲＩＳＥ」が設けられており、第２の間１５ｄｎの位置には、文字列１５ｂ「ＳＵＮＳＥＴ」が設けられている。文字列１５ａおよび文字列１５ｂの文字色は、例えば、赤色である。円盤状指示体１５は、表示状態が第１状態であれば、第１の間１５ｎｄの位置によって日の出時刻を指示し、表示状態が第２状態であれば、第２の間１５ｄｎの位置によって日の入り時刻を指示する。
【００９７】
円盤状指示体１５の形状として、例えば、２つの態様がある。第１の態様における円盤状指示体１５は、部材１５１と、部材１５１のｚ軸負方向の面の一部と固定されている第２部材とを有する。この第２部材は、時針１１、分針１２、および秒針１３の指針軸から部材１５１の１点までを含む平板状である。
第２の態様における円盤状指示体１５は、部材１５１、および、部材１５１のｚ軸負方向の面と固定されている第２部材を有する。この第２部材は、同心円状の部材である。さらに、この第２部材の内側または外側の側面には、歯形がある。
【００９８】
図８に、電子時計Ｗの構成図を示す。図８において、図１に示した構成と同一構成のものには同一符号を付してある。
【００９９】
電子時計Ｗは、円盤状指示体１５に関する構成として、円盤状指示体１５、輪列機構２０５、ステッピングモーター３０５、および、モータードライバー４０５を含む。モータードライバー４０５は、輪列機構２０５を介して円盤状指示体１５を駆動するためにステッピングモーター３０５を駆動する。
駆動力の伝達例として、例えば、第１の態様における円盤状指示体１５の第２部材に輪列機構２０５を介して駆動力が伝達されることにより、第２部材に固定された部材１５１が回転運動する。また、第２の態様における円盤状指示体１５の第２部材の歯形と輪列機構２０５とが組み合っており、第２部材に輪列機構２０５を介して駆動力が伝達されることにより、第２部材に固定された部材１５１が回転運動する。
【０１００】
電子時計Ｗは、６時側情報表示部２０に関する構成として、ＬＣＤ２４、および、ＬＣＤドライバー５０１を含む。ＬＣＤドライバー５０１は、ＬＣＤ２４を駆動する。
【０１０１】
Ｂ．２．制御部６の構成
制御部６の構成は、第１実施形態における制御部６の構成と比較すると、表示状態が第１状態であれば、第１の間１５ｎｄの位置によって日の出時刻を指示し、表示状態が第２状態であれば、第２の間１５ｄｎの位置によって日の入り時刻を指示すること以外はほぼ同一の構成であるため、説明を省略する。ただし、第１実施形態における制御部６の構成と異なる点として、表示状態を切り替える方法についてと、白夜および極夜の取り扱いについてのみ説明する。
【０１０２】
Ｂ．２．１．表示状態を切り替える方法について
表示状態を切り替える方法は、第２実施形態でも第１実施形態と同様に、下記に示す２つがある。第１の方法において、処理部６２は、現在時刻が第１時刻または第２時刻に達した場合、円盤状指示体１５が可能な最大の角速度で円盤状指示体１５を回転させる。そして、第１の間１５ｎｄの位置および第２の間１５ｄｎの位置のうち、現在の表示状態に対応する位置が、日の出時刻の位置または日の入り時刻の位置に達したら、処理部６２は、円盤状指示体１５の回転を停止させる。第２の方法において、処理部６２は、現在時刻が第１時刻または第２時刻に達した場合、時針１１の角速度の同一の角速度、すなわち前述した第１角速度で円盤状指示体１５を回転させる。そして、第１の間１５ｎｄの位置および第２の間１５ｄｎの位置のうち現在の表示状態に対応する位置が、現在の表示状態において指示すべき日の出時刻の位置または日の入り時刻の位置に達したら、処理部６２は、円盤状指示体１５の回転を停止させる。表示状態を切り替える第２の方法において、図９および図１０を用いてより詳細に説明する。
【０１０３】
図９および図１０に、表示状態を切り替える第２の方法の詳細を示す。図９では、現在時刻が午前の場合を示し、図１０では、現在時刻が午後の場合を示す。図９および図１０に示す電子時計Ｗは、図面の煩雑化を避けるために、時針１１および円盤状指示体１５のみ表示し、分針１２、秒針１３等の描画を省略する。
【０１０４】
図９および図１０において、日の出時刻は午前５時であり、日の入り時刻を午後７時とする。さらに、処理部６２は、第１態様における第１時刻および第２時刻に従って、表示状態を切り替えるとし、所定時間を２時間とする。従って、第１時刻は、午前７時となり、第２時刻は午後９時となる。
【０１０５】
現在時刻が午前４時の場合、現在時刻が第１時刻に達していないため、表示状態は第１状態である。従って、円盤状指示体１５は、第１の間１５ｎｄの位置によって、５時位置を指示する。
【０１０６】
現在時刻が午前７時の場合、現在時刻が第１時刻に達したため、表示状態は第２状態になる。円盤状指示体１５は、第１角速度で回転し始める。
【０１０７】
現在時刻が午前８時の場合、円盤状指示体１５は、第１角速度で回転しており、円盤状指示体１５が回転し始めてから１時間が経過したため、第１の間１５ｎｄの位置は６時位置を指示し、第２の間１５ｄｎの位置は、１２時位置を指示する。日の入り時刻が午後７時であり、現在の表示状態である第２状態に対応する第２の間１５ｄｎの位置は１２時位置を指示しているため、第２の間１５ｄｎの位置は、日の入り時刻の位置に達していない。従って、円盤状指示体１５は、回転を継続する。
【０１０８】
現在時刻が午前９時の場合、円盤状指示体１５は、第１角速度で回転しており、円盤状指示体１５が回転し始めてから２時間が経過したため、第１の間１５ｎｄの位置は７時位置を指示し、第２の間１５ｄｎの位置は、１時位置を指示する。日の入り時刻が午後７時であり、現在の表示状態である第２状態に対応する第２の間１５ｄｎの位置は１時位置を指示しているため、第２の間１５ｄｎの位置は、日の入り時刻の位置に達していない。従って、円盤状指示体１５は、回転を継続する。
【０１０９】
現在時刻が午後３時の場合、円盤状指示体１５は、第１角速度で回転しており、円盤状指示体１５が回転し始めてから８時間が経過したため、第１の間１５ｎｄの位置は１時位置を指示し、第２の間１５ｄｎの位置は、７時位置を指示する。日の入り時刻が午後７時であり、現在の表示状態である第２状態に対応する第２の間１５ｄｎの位置は７時位置を指示しているため、第２の間１５ｄｎの位置は、日の入り時刻の位置に達している。従って、円盤状指示体１５は、回転を停止する。
【０１１０】
現在位置が午後４時の場合、現在時刻が第２時刻に達していないため、表示状態は第２状態を維持する。従って、円盤状指示体１５は、第２の間１５ｄｎの位置によって、７時位置を指示する。
【０１１１】
現在位置が午後９時の場合、現在時刻が第２時刻に達したため、表示状態は第１状態に切り替わる。円盤状指示体１５は、第１角速度で回転し始める。
【０１１２】
現在位置が午後１０時の場合、円盤状指示体１５は、第１角速度で回転しており、円盤状指示体１５が回転し始めてから１時間が経過したため、第１の間１５ｎｄの位置は２時位置を指示し、第２の間１５ｄｎの位置は、８時位置を指示する。日の出時刻が午前５時であり、現在の表示状態である第１状態に対応する第１の間１５ｎｄの位置は２時位置を指示しているため、第１の間１５ｎｄの位置は、日の出時刻の位置に達していない。従って、円盤状指示体１５は、回転を継続する。
【０１１３】
図９および図１０で示したように、円盤状指示体１５は、第１角速度で回転することにより、回転している間では、時針１１と第１の間１５ｎｄとの間隔、ならびに、時針１１と第２の間１５ｄｎとの間隔は一定となる。従って、第１時刻の時点で時針１１が第１領域１５１１内を指示していれば、円盤状指示体１５が回転している間時針１１は常に第１領域１５１１を指示する。さらに、日の出時刻から円盤状指示体１５が回転を始める前まで、および、円盤状指示体１５の回転が停止した後から日の入り時刻までも、時針１１は第１領域１５１１を指示する。同様に、第２時刻の時点で時針１１が第２領域１５１２内を指示していれば、円盤状指示体１５が回転している間時針１１は常に第２領域１５１２を指示する。さらに、日の入り時刻から円盤状指示体１５が回転を始める前、および円盤状指示体１５の回転が停止した後から日の出時刻までも、時針１１は第２領域１５１２を指示する。
従って、時針１１は、昼間であれば第１領域１５１１を指示し、夜間であれば第２領域１５１２を指示する。以上により、時針１１は、現在時刻の時を表示するとともに、昼夜を表示する。よって、表示状態を切り替える第２の方法によれば、電子時計Ｗは、昼夜の表示と、日の出時刻または日の入り時刻の表示とを、同時に行うことが可能になる。
【０１１４】
Ｂ．２．２．白夜および極夜の取り扱いについて
白夜であると判断した場合、処理部６２は、第１の間１５ｎｄおよび第２の間１５ｄｎのいずれか一方が１２時位置を指示するように円盤状指示体１５を制御する。極夜であると判断した場合、処理部６２は、第１の間１５ｎｄおよび第２の間１５ｄｎのいずれか一方が６時位置を指示するように円盤状指示体１５を制御する。
【０１１５】
Ｂ．３．第２実施形態の効果
以上示したように、円盤状指示体１５は、第１領域１５１１と、第２領域１５１２とが環状に配置された環状の部材１５１を含む。昼間を示す第１色の第１領域１５１１と、夜間を示す第２色の第２領域１５１２とが環状に配置されている。従って、ユーザーは、第１の間１５ｎｄおよび第２の間１５ｄｎが、昼間と夜間との間、すなわち、日の出または日の入りを示すことを直感的に把握できる。
さらに、円盤状指示体１５は、第１領域１５１１と第２領域１５１２との間の位置によって、日の出時刻または日の入り時刻を指示する。従って、日の出または日の入りを示すことを直感的に把握可能な第１の間１５ｎｄおよび第２の間１５ｄｎの位置によって日の出時刻または日の入り時刻を指示することにより、直感的に日の出時刻および日の入り時刻を把握することが可能になる。
【０１１６】
Ｃ．第３実施形態
第３実施形態における電子時計Ｗでは、子時計時針４２（図１１参照）および子時計分針４３（図１１参照）が、日の出時刻および日の入り時刻を表示する。子時計時針４２および子時計分針４３は、第３実施形態における「指示体」の一例である。以下、第３実施形態について説明する。なお、以下に例示する各形態および各変形例において作用や機能が第１実施形態または第２実施形態と同様である要素については、第１実施形態または第２実施形態で使用した符号を流用して各々の詳細な説明を適宜に省略する。
【０１１７】
Ｃ．１．第３実施形態にかかる電子時計Ｗの概要
図１１に、第３実施形態にかかる電子時計Ｗを示す平面図を示す。以下に示す要素については、説明の省略のため、特に記載がない場合、第３実施形態に関する要素であるとする。
【０１１８】
表示部１０は、９時側に設けられた９時側情報表示部３０と、１０時側に設けられた子時計表示部４０と、を有する。
【０１１９】
電子時計Ｗは、第１実施形態の電子時計Ｗと同様に、時刻表示モードと、タイムゾーン設定モードと、日の出日の入り表示モードとを有する。文字板２１には、文字列２１ｃの代わりに、日の出日の入り表示モードを表すアイコン２１ｄが設けられている。アイコン２１ｄは、太陽が地平線に重なる状態を模している。
【０１２０】
Ｃ．１．１．時刻表示モードの概要
動作モードを時刻表示モードに設定している場合に、表示部１０は、目盛り１７ａを基準にして、時針１１、分針１２、および秒針１３を用いて、現在時刻の時、分、および秒を表示する。さらに、表示部１０は、子時計表示部４０および９時側情報表示部３０を用いて、現在位置が属するタイムゾーンとは異なるタイムゾーンの現在時刻を表示する。
【０１２１】
以下、現在位置が属するタイムゾーンを、「第１タイムゾーン」と称する。異なるタイムゾーンを、「第２タイムゾーン」と称する。
【０１２２】
子時計表示部４０は、文字板４１と、子時計時針４２と、子時計分針４３とを有する。文字板４１には、１２時制の目盛り４１ａが設けられる。目盛り４１ａは、第３実施形態における「第１目盛り」の一例である。第３実施形態では、目盛り１７ａは、「第２目盛り」の一例である。図１１に示すように、分針１２の指針軸の軸方向からの平面視、すなわち、ｚ軸正方向からの平面視において、分針１２の指針軸と、子時計時針４２および子時計分針４３の指針軸とが異なる。さらに、この平面視において、目盛り１７ａと分針１２の指針軸との間に、目盛り４１ａが設けられる。
【０１２３】
９時側情報表示部３０は、文字板３１と、ＡＭＰＭ針３２とを有する。ＡＭＰＭ針３２は、「第１指針」の一例である。文字板３１には、午前１２時を示す目盛り線と午後１２時を示す目盛り線とを含む目盛り３１ａが設けられている。ＡＭＰＭ針３２は、２４時間で１周する。
【０１２４】
表示部１０は、目盛り４１ａを基準にして、子時計時針４２および子時計分針４３を用いて、第２タイムゾーンの現在時刻の時および分を表示する。さらに、表示部１０は、目盛り３１ａを基準にして、ＡＭＰＭ針３２を用いて、第２タイムゾーンの午前午後を表示する。
【０１２５】
Ｃ．１．２．タイムゾーン設定モードの概要
動作モードをタイムゾーン設定モードに設定している場合に、表示部１０は、目盛り１７ａを基準にして、時針１１および分針１２を用いて、現在時刻の時および分を表示する。さらに、表示部１０は、目盛りＥａを基準にして、秒針１３を用いて、第１タイムゾーンを表示する。
【０１２６】
タイムゾーン設定モードにおいて、竜頭Ｄの一段引き出し操作を行うと、電子時計Ｗは、第１実施形態と同様に、第１タイムゾーンの設定を行うことが可能である。さらに、タイムゾーン設定モードにおいて、電子時計Ｗは、第２タイムゾーンの設定を行うことが可能である。
【０１２７】
Ｃ．１．３．日の出日の入り時刻表示モードの概要
動作モードを日の出日の入り表示モードに設定している場合に、表示部１０は、目盛り１７ａを基準にして、時針１１、分針１２、および秒針１３を用いて、現在時刻の時、分、および秒を表示する。さらに、表示部１０は、目盛り４１ａを基準にして、子時計時針４２および子時計分針４３を用いて、日の出時刻または日の入り時刻を表示する。さらに、表示部１０は、目盛り３１ａを基準にして、子時計時針４２および子時計分針４３が、日の出時刻と日の入り時刻とのうちいずれを表示するか、言い換えれば、表示状態が第１状態か第２状態かを、ＡＭＰＭ針３２を用いて表示する。具体的には、ＡＭＰＭ針３２は、表示状態が第１状態であれば午前を示し、表示状態が第２状態であれば午後を示す。図１１の状態では、ＡＭＰＭ針３２が午前を指示しているため、子時計時針４２および子時計分針４３が、日の出時刻として５時０分を表示している。
【０１２８】
図１２に、電子時計Ｗの構成図を示す。図１２において、図１１に示した構成と同一構成のものには同一符号を付してある。
【０１２９】
電子時計Ｗは、子時計表示部４０および９時側情報表示部３０に関する構成として、子時計時針４２、子時計分針４３、およびＡＭＰＭ針３２、輪列機構２０６および輪列機構２０７、ステッピングモーター３０６、ならびに、モータードライバー４０６を含む。モータードライバー４０６は、輪列機構２０６および輪列機構２０７を介して子時計時針４２、子時計分針４３、およびＡＭＰＭ針３２を駆動するためにステッピングモーター３０６を駆動する。
【０１３０】
Ｃ．２．制御部６の構成
制御部６の構成は、第１実施形態における制御部６の構成と比較すると、機能針１４の代わりに子時計時針４２および子時計分針４３が、日の出時刻または日の入り時刻を指示し、表示状態が第１状態か第２状態かをＡＭＰＭ針３２が表示すること以外はほぼ同一の構成であるため、説明を省略する。ただし、第１実施形態における制御部６の構成と異なる点として、白夜および極夜の取り扱いについてのみ説明する。
【０１３１】
Ｃ．２．１．夜および極夜の取り扱いについて
白夜であると判断した場合、処理部６２は、子時計時針４２および子時計分針４３が１２時を表示し、ＡＭＰＭ針３２が、ｙ軸正方向の向きに固定する。極夜であると判断した場合、処理部６２は、子時計時針４２および子時計分針４３が１２時を表示し、ＡＭＰＭ針３２が、ｙ軸負方向の向きに固定する。
【０１３２】
Ｃ．３．第３実施形態の効果
以上示したように、ｚ軸正方向からの平面視において、分針１２の指針軸と、子時計時針４２および子時計分針４３の指針軸とが重ならない。従って、分針１２と、子時計時針４２および子時計分針４３とは同一軸上にはない。さらに、ｚ軸正方向からの平面視において、目盛り１７ａと分針１２の指針軸との間に、目盛り４１ａが設けられる。従って、目盛り４１ａと子時計時針４２および子時計分針４３によって、子時計が形成されている。従って、第３実施形態では、時針１１および分針１２が目盛り１７ａを指示することにより現在時刻を指示し、子時計を形成する子時計時針４２および子時計分針４３によって日の出時刻および日の入り時刻を指示する。以上により、現在時刻を指示する箇所と、日の出時刻および日の入り時刻を指示する箇所とが互いに異なるため、ユーザーが、子時計時針４２および子時計分針４３が現在時刻を指示するという誤った把握をすることを抑制することが可能になる。
【０１３３】
また、電子時計Ｗは、第１状態であれば午前を指示し、第２状態であれば午後を指示するＡＭＰＭ針３２を備える。通常、日の出時刻は午前であり、日の入り時刻は午後である。従って、第３実施形態によれば、ＡＭＰＭ針３２によって午前または午後を示すことにより、ユーザーは、子時計時針４２および子時計分針４３が、日の出時刻または日の入り時刻のいずれを指示しているのか、容易に把握することが可能になる。
【０１３４】
Ｄ．変形例
以上の各形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【０１３５】
Ｄ．１．第１変形例
第１実施形態を変形した第１変形例における日の出日の入り表示モードにおいて、モード指針２２は、機能針１４が現在日の出時刻を示すならば文字列２１ｃ「ＳＲ−ＳＳ」のうち「ＳＲ」を指示し、機能針１４が現在日の入り時刻を示すならば「ＳＳ」を示す。第１変形例において、モード指針２２は、「第２指針」の一例である。これにより、ユーザーは、機能針１４が示しているのが日の出時刻なのか日の入り時刻なのかを、モード指針２２が指示する位置により読み取ることが可能になる。さらに、ユーザーは、電子時計Ｗを特に操作せずとも日の出時刻および日の入り時刻の表示が切り替わって、日の出および日の入りの時刻を把握することが可能になる。
【０１３６】
また、第１変形例において、図４および図５を用いて説明した表示状態を切り替える第２の方法を実施することも可能である。この第２の方法において、機能針１４は、第１角速度または第２角速度で回転している場合、機能針１４は、文字列２１ｃ「ＳＲ−ＳＳ」のうち「−」を指示してもよい。これにより、ユーザーは、機能針１４が日の出時刻の位置または日の入り時刻の位置に達しておらず、機能針１４が移動中であることを容易に把握することが可能になる。
第１変形例は、第１実施形態に限らず、第３実施形態にも適用することが可能である。
【０１３７】
Ｄ．２．第２変形例
第１実施形態を変形した第２変形例では、日の出日の入り表示モードの代わりに、日の出時刻を示す日の出表示モードと、日の入り時刻を示す日の入り表示モードとを有する。第２変形例において、モード指針２２は、「第２指針」の一例である。
【０１３８】
図１３に、第２変形例にかかる電子時計Ｗを示す平面図を示す。以下に示す要素については、説明の省略のため、特に記載がない場合、第２変形例に関する要素であるとする。
【０１３９】
文字板２１には、文字列２１ｃの代わりに、日の出表示モードを表す文字列２１ｅ「ＳＲ」と、日の入り表示モードを表す文字列２１ｆ「ＳＳ」とが設けられている。
【０１４０】
Ｄ．２．１．日の出表示モードの概要
日の出表示モードでは、日の出時刻を常時表示することができる。ユーザーにより操作ボタンＡが何度か押下されてモード指針２２が文字列２１ｅを指示する場合に、電子時計Ｗは、動作モードを日の出表示モードに設定する。動作モードを日の出表示モードに設定している場合に、表示部１０は、目盛り１７ａを基準にして、機能針１４を用いて、日の出時刻を表示する。
【０１４１】
Ｄ．２．２．日の入り表示モードの概要
日の入り表示モードでは、日の入り時刻を常時表示することができる。ユーザーにより操作ボタンＡが何度か押下されてモード指針２２が文字列２１ｆを指示する場合に、電子時計Ｗは、動作モードを日の入り表示モードに設定する。動作モードを日の入り表示モードに設定している場合に、表示部１０は、目盛り１７ａを基準にして、機能針１４を用いて、日の入り時刻を表示する。
【０１４２】
第２変形例においても、機能針１４が示しているのが日の出時刻なのか日の入り時刻なのかを、モード指針２２が指示する位置により読み取ることが可能になる。
なお、第２変形例において、第１実施形態のように第１時刻または第２時刻を設定することにより、表示部１０は、当日の日の出時刻または日の出時刻以降の所定時間後、例えば３時間後に、次の日の日の出時刻または日の入り時刻を表示することとしてもよい。
【０１４３】
Ｄ．２．３．第２変形例の効果
以上示したように、電子時計Ｗは、モード指針２２と、文字列２１ｅと、文字列２１ｆと、操作ボタンＡとを有する。操作ボタンＡを用いることでユーザーは第１状態と第２状態とを切り替えることができる。そして、電子時計Ｗは１２時制のアナログ時計であるため、２４時制のアナログ時計と比較してユーザーは日の出時刻および日の入り時刻を容易に把握することが可能になる。
【０１４４】
Ｄ．３．その他の変形例
第１実施形態において、白夜であると判断した場合、機能針１４が１２時位置を指示し、極夜であると判断した場合、機能針１４が６時位置を指示することを説明したが、他の位置を指示してもよい。また、白夜または極夜であることをユーザーが判別しやすくするため、ベゼルＥの１２時位置に、白夜を示す文字列を設け、ベゼルＥの６時位置に極夜を示す文字列を設けてもよい。白夜を示す文字列および極夜を示す文字列を設けることは、第２実施形態および第３実施形態にも適用可能である。白夜を示す文字列は、例えば、「polar day」または「midnight sun」である。極夜を示す文字列は、例えば、「polar night」である。
【０１４５】
第１実施形態における表示状態を切り替える第２の表示方法について、機能針１４を、時針１１と同一の角速度である第１角速度と、第１角速度と同じ大きさで逆方向への回転である第２角速度とで回転させると記載したが、他の角速度でもよい。例えば、機能針１４を、分針１２と同一の角速度で回転させてもよい。第２実施形態における表示状態を切り替える第２の表示方法についても同様である。ただし、第２実施形態における表示状態を切り替える第２の表示方法では、円盤状指示体１５を第１角速度より速く回転すると、時針１１が、昼間であるのに第２領域１５１２を指示したり、夜間であるのに第１領域１５１１を指示したりする可能性がある。また、円盤状指示体１５を第１角速度より遅く回転すると、第１の間１５ｎｄの位置および第２の間１５ｄｎの位置のうち現在の表示状態に対応する位置が、現在の表示状態において指示すべき時刻の位置に達する前に、現在時刻が指示すべき時刻になってしまう可能性がある。従って、円盤状指示体１５を第１角速度で回転させることが好ましい。
【０１４６】
第２実施形態にかかる電子時計Ｗは、第１実施形態にかかる電子時計Ｗと比較して、円盤状指示体１５およびＬＣＤ２４を有したが、この形態に限らない。例えば、電子時計Ｗは、第１実施形態にかかる電子時計Ｗと比較して、円盤状指示体１５を有し、ＬＣＤ２４を有さない形態でもよい。または、電子時計Ｗは、第１実施形態にかかる電子時計Ｗと比較して、第１実施形態にかかる電子時計Ｗと比較して、文字板２１およびモード指針２２を有さず、ＬＣＤ２４を有してもよい。
【０１４７】
第２実施形態において、第１色が黄色であり、第２色が青色であると記載したが、他の色でもよい。例えば、第１色が青であり、第２色が黒でもよい。また、第１色および第２色のような色ではなく、昼間を示す各種の模様、網掛け、又は太陽などのシンボル、夜間を示す各種の模様、網掛け、又は月などのシンボルを各領域に割り当ててもよい。
【０１４８】
第３実施形態において、電子時計Ｗは、操作ボタンＣが押下されるごとに、日の出時刻または日の入り時刻の表示を切り替える構成であってもよい。この構成により、電子時計Ｗは、任意の時間に、日の出時刻または日の入り時刻のうちユーザーが表示したい方を表示することが可能になる。また、この構成において、ＡＭＰＭ針３２は、子時計時針４２および子時計分針４３が日の出時刻を表示するならば午前を指示し、子時計時針４２および子時計分針４３が日の入り時刻を表示するならば午後を指示する。これにより、ユーザーは、子時計時針４２および子時計分針４３が、日の出時刻または日の入り時刻のいずれを指示しているのかを容易に把握することが可能になる。
【０１４９】
第３実施形態において、指示体の一例が、子時計時針４２および子時計分針４３であったが、指示体は、一つの指針でもよい。
【０１５０】
第３実施形態における９時側情報表示部３０は、第１実施形態に適用してもよいし、第２実施形態に適用してもよい。
【０１５１】
以上の各形態において、電子時計Ｗは、ＧＰＳレシーバー２からの衛星信号を用いて現在の高度を取得して保存し、保存した高度を日の出時刻および日の入り時刻の算出に用いてもよい。また、電子時計Ｗは、電子時計Ｗ周囲の気圧を測定する気圧センサーを有し、気圧センサーが測定した気圧に基づいて標高を算出して保存し、保存した高度を日の出時刻および日の入り時刻の算出に用いてもよい。
日の出時刻および日の入り時刻は、現在位置の高度によって変動するが、上述した形態では、算出した現在位置の高度に基づいて日の出時刻および日の入り時刻を算出するため、現在位置の高度の影響が反映されている。従って、以上の態様によれば、現在位置の高度の影響を考慮しない場合と比較して、日の出時刻および日の入り時刻をより正確に算出することが可能になる。
【０１５２】
以上の各形態において、電子時計Ｗが有する操作ボタンの数は、上述した各形態における３つに限られず、３つより少なくてもよいし、３つより多くてもよい。また、電子時計Ｗが有する操作ボタンの配置は、上述した各形態における位置に限らない。
【０１５３】
本発明は、上述した電子時計Ｗを、上述した電子時計Ｗの各部として機能させるように構成されたコンピュータープログラムまたは当該コンピュータープログラムを記録したコンピューター読み取り可能な記録媒体として捉えることもできる。記録媒体は例えば非一過性（non-transitory）の記録媒体であり、ＣＤ−ＲＯＭ等の光学式記録媒体の他、半導体記録媒体や磁気記録媒体等の公知の任意の記録媒体を含み得る。また、本発明は上述した各態様にかかる電子時計Ｗの制御方法とすることもできる。
【符号の説明】
【０１５４】
２…ＧＰＳレシーバー、６…制御部、１０…表示部、１１…時針、１２…分針、１４…機能針、１５…円盤状指示体、１５ｎｄ…第１の間、１５ｄｎ…第２の間、１７…ダイヤルリング、１７ａ…目盛り、２２…モード指針、３２…ＡＭＰＭ針、４１ａ…目盛り、４２…子時計時針、４３…子時計分針、６１…位置情報算出部、６２…処理部、１５１１…第１領域、１５１２…第２領域、Ｗ…電子時計。
【図１】
2019174148.tif 000003
【図２】
2019174148.tif 000004
【図３】
2019174148.tif 000005
【図４】
2019174148.tif 000006
【図５】
2019174148.tif 000007
【図６】
2019174148.tif 000008
【図７】
2019174148.tif 000009
【図８】
2019174148.tif 000010
【図９】
2019174148.tif 000011
【図１０】
2019174148.tif 000012
【図１１】
2019174148.tif 000013
【図１２】
2019174148.tif 000014
【図１３】
2019174148.tif 000015